(57)【要約】【課題】カウンタ部上に脱着可能に設けられた本体部を、作業性良くカウンタ部の下側のタンクに対し繋ぎ材にて繋ぐことのできるソープディスペンサーを提供する。【解決手段】カウンタ部１２に取り付けられる取付管１６と、水石けん液Ｌのタンク１８と、カウンタ部１２に脱着可能に固定された本体部１４と、カウンタ部１２を貫通して本体部１４とタンク１８とを繋ぐワイヤ１７０とを備えてソープディスペンサー１０を構成する。そのワイヤ１７０の下端部には、タンク１８の小径の口部３２を通過可能で且つ一旦口部３２を通過した後においては、タンク１８内部で口部３２に係止し、抜け防止される抜止部材１８４を取り付けておく。【選択図】        図１
2010088820.tif 000002
【特許請求の範囲】
【請求項１】
(イ)カウンタ部等の取付基体を上下に貫通する状態に該取付基体に取り付けられる取付管と、
(ロ)該取付基体の下側で該取付管に連結される水石けん液のタンクと、
(ハ)該取付基体の上側で該取付管に連結状態で該取付基体に脱着可能に固定され、液ポンプとエアポンプとを有してポンプ作用で吸入チューブを通じて前記タンク内の水石けん液を吸い上げるとともに、エアとの混合によりムース状化して吐出管に押し出す機構部を内蔵した本体部と、
(ニ)前記取付基体を貫通して前記本体部と前記タンクとを繋ぐ繋ぎ材と、
を有し、
該繋ぎ材の下端部には、前記タンクの上部の小径の口部を該タンク内に向って通過可能且つ一旦該口部を通過した後においては、該タンク内部の被係止部に係止して抜け防止される抜止部材が取り付けられていることを特徴とするソープディスペンサー。
【請求項２】
請求項１において、前記抜止部材は、前記繋ぎ材に向きが可変状態に結合される中央部の環状部と、該環状部から互いに逆向きに延び出した、一端から他端までの全体の長さが少なくとも前記口部の径よりも長い一対の棒状のアームとを有するものであることを特徴とするソープディスペンサー。
【請求項３】
請求項１，２の何れかにおいて、前記吸入チューブの下端部には異物除去のためのストレーナが取り付けられているとともに、上端部が前記本体部に接続され、該ストレーナが前記取付管の内部を通じて該吸入チューブとともに前記取付基体上に取出可能とされていることを特徴とするソープディスペンサー。
【発明の詳細な説明】
【技術分野】
【０００１】
この発明は、水石けん液とエアとを混合して水石けん液をムース状として吐出するソープディスペンサーに関し、詳しくはポンプ作用をなす機構部を内蔵した本体部の盗難防止のための技術手段に特徴を有するものに関する。
【背景技術】
【０００２】
従来、水石けん液をタンクから吸い上げるとともに、これにエアを混合し、水石けん液をムース状として吐出管から吐出するソープディスペンサーが手洗所等において広く用いられている。
この種ソープディスペンサーとして、液ポンプとエアポンプとを有し、カウンタ部等の取付基体の下側のタンクから水石けん液を吸入チューブを通じて吸い上げるとともに、エアとの混合によりムース状化して吐出管に押し出す機構部を内蔵した本体部を、取付基体の上側に設けたものが公知である。
例えば下記特許文献１に、この種のソープディスペンサーの一例が開示されている。
【０００３】
ところでこの種のソープディスペンサー、即ちポンプ作用を行う機構部を内蔵した本体部をカウンタ等の取付基体上に据置状態に設置するソープディスペンサーでは、本体部を脱着可能としてこれを取付基体から取り外せるようになしておけば、液ポンプやエアポンプ等を有する機構部の掃除その他のメンテナンス作業が行い易くなり好都合である。
【０００４】
そこで本出願人は、かかる本体部がカウンタ部等の取付基体上に据置状態に設置されるソープディスペンサーにおいて、本体部を容易に取り外し或いはまた取付可能となしたソープディスペンサーを先の特許願において提案している（特願２００８−９８７７：未公開）。
【０００５】
ところでこのように本体部を取付基体上に設け、且つこれを容易に脱着し得るようになしたソープディスペンサーにあっては、上記のように内部のメンテナンス作業を容易に行える利点が得られる一方で、ソープディスペンサーを公共の手洗所等に設置した場合、悪戯等によって本体部が持ち去られてしまう恐れがある。
【０００６】
そこで先の特許願に開示したソープディスペンサーでは、取付基体上の本体部と取付基体の下側に位置する、取付基体に固定の部材とを玉鎖やワイヤー等の可撓性の線状の繋ぎ材で繋いでおき、本体部が持ち去られてしまうのを防ぐようにしたものを一例として開示している。
【０００７】
しかしながらその場合、繋ぎ材の下端部をカウンタ部等の取付基体の下側で、取付基体に固定の部材に対し締結ビス等にて締結固定するようにすると、同作業を作業者が取付基体の下側に潜り込んで行わなければならず、特に取付基体の下側の空間が狭い空間であったりすると作業が行いづらく、ひいてはソープディスペンサーの設置の際の作業性が悪くなってしまう。
【０００８】
尚、下記特許文献２にはソープディスペンサーの、洗面台の上側に位置している操作部を兼用したキャップにおけるキャップカバーをキャップ本体にチェーンで連結し、キャップカバーの紛失や盗難を防止するようになした点が開示されている。
しかしながらこの特許文献２に開示のものは、本発明の課題を解決することのできないものである。
またその他のソープディスペンサーにおいて、本発明の課題を解決することのできる従来技術は、本発明者の知る限り提案されていない。
【０００９】
【特許文献１】特開平９−１０３３８７号公報
【特許文献２】特開平７−１７８０００号公報
【発明の開示】
【発明が解決しようとする課題】
【００１０】
本発明は以上のような事情を背景とし、取付基体上に脱着可能に設けられた本体部を繋ぎ材にて作業性良く取付基体の下側のタンクに繋ぐことのできるソープディスペンサーを提供することを目的としてなされたものである。
【課題を解決するための手段】
【００１１】
而して請求項１のものは、(イ)カウンタ部等の取付基体を上下に貫通する状態に該取付基体に取り付けられる取付管と、(ロ)該取付基体の下側で該取付管に連結される水石けん液のタンクと、(ハ)該取付基体の上側で該取付管に連結状態で該取付基体に脱着可能に固定され、液ポンプとエアポンプとを有してポンプ作用で吸入チューブを通じて前記タンク内の水石けん液を吸い上げるとともに、エアとの混合によりムース状化して吐出管に押し出す機構部を内蔵した本体部と、(ニ)前記取付基体を貫通して前記本体部と前記タンクとを繋ぐ繋ぎ材と、を有し、該繋ぎ材の下端部には、前記タンクの上部の小径の口部を該タンク内に向って通過可能且つ一旦該口部を通過した後においては、該タンク内部の被係止部に係止して抜け防止される抜止部材が取り付けられていることを特徴とする。
【００１２】
請求項２のものは、請求項１において、前記抜止部材は、前記繋ぎ材に向きが可変状態に結合される中央部の環状部と、該環状部から互いに逆向きに延び出した、一端から他端までの全体の長さが少なくとも前記口部の径よりも長い一対の棒状のアームとを有するものであることを特徴とする。
【００１３】
請求項３のものは、請求項１，２の何れかにおいて、前記吸入チューブの下端部には異物除去のためのストレーナが取り付けられているとともに、上端部が前記本体部に接続され、該ストレーナが前記取付管の内部を通じて該吸入チューブとともに前記取付基体上に取出可能とされていることを特徴とする。
【発明の作用・効果】
【００１４】
以上のように本発明は、機構部を内蔵した本体部が取付基体上に脱着可能に設けられて成るソープディスペンサーにおいて、その本体部を繋ぎ止めておく繋ぎ材の下端部に、水石けん液のタンクの上部の小径の口部をタンク内に向って通過可能且つ一旦口部を通過した後においては、タンク内部の被係止部に係止して抜け防止される抜止部材を取り付けたものである。
【００１５】
本発明では、この抜止部材をタンクの口部を通じてタンク内に繋ぎ材の下端部とともに挿入するだけで、簡単に取付基体の下側のタンクと取付基体の上側の本体部とを繋ぎ材にて連携し、本体部を取付基体側に繋ぎ止めておくことができる。
【００１６】
即ち、本発明によれば取付基体の下側に作業者が潜り込んで、その狭い空間で繋ぎ材の下端部を取付基体の下側の部材に対してドライバー等の工具を用いて締結ビスを何回も回転操作し、固定作業をするといったことは必要でなく、単に抜止部材をタンクの中に挿入するだけで、繋ぎ材の下端部とタンクとを抜止状態に結合することができる。
従って本発明によれば、繋ぎ材によって本体部を取付基体の側に繋ぎ止めるための作業を極めて簡単に行うことができ、ひいてはソープディスペンサーの設置作業を作業性良く良好に行うことができる。
ここで抜止部材は、タンクの口部を被係止部として係止するものとなしておくことができる。
また上記繋ぎ材は非可撓性のものであっても良いが、この繋ぎ材は線状且つ可撓性のものを用いるのが好適である。
このようにしておくと、抜止部材をタンクの口部を通過して挿入する際の挿入性が良好である利点が得られる。
【００１７】
次に請求項２は、上記抜止部材を、繋ぎ材と向きが可変状態に結合される中央部の環状部と、環状部から互いに逆向きに延び出した一対の棒状のアームとを有するものとなしたものである。
【００１８】
この抜止部材は、これを例えば手に持ってその向きをタンクの口部を通過できる向きとなしておくことで、簡単に抜止部材を口部を通過してタンクの中に挿入することができる。
而して口部を通過した抜止部材は、その中央部が繋ぎ材で吊持されることによって、タンクの中で一対の棒状のアームを水平方向の向きとするように姿勢が変化し、その後はその姿勢の下で抜止部材がタンクの口部を出側には通過できなくなり、ここにおいて取付基体の下側のタンクと取付基体の上側の本体部とが、繋ぎ材によって繋がれた状態となる。
【００１９】
本発明では、タンク内の水石けん液を吸入する吸入チューブの下端部に、異物除去のためのストレーナを取り付けておくとともに、吸入チューブの上端部を上記の本体部に接続し、そのストレーナを吸入チューブとともに取付管の内部を通じて取付基体上に取出可能となしておくことができる（請求項３）。
【００２０】
このようにしておけば、タンク内のストレーナの掃除等のメンテナンスの必要が生じたときに、タンクと繋ぎ材の下端部との結合状態を解き、タンクを取付管から分離した上でタンクからストレーナを取り出すといったことを行わなくても、即ちタンクを取り付けた状態のままでストレーナを吸入チューブとともに取付基体上に取り出して、ストレーナの掃除等のメンテナンス作業を行うことが可能となる。
【発明を実施するための最良の形態】
【００２１】
次に本発明の実施形態を図面に基づいて詳しく説明する。
図１において、１０は本実施形態のソープディスペンサー、１２はその取付基体としてのカウンタ部である。
ソープディスペンサー１０は、カウンタ部１２上に据置状態に設けられ、ポンプ作用で水石けん液を吸い上げた上、これにエアを混合して水石けん液をムース状とし、吐出管８２に押し出す機構部を内蔵した本体部１４と、取付管１６と、カウンタ部１２の下側に配置される水石けん液のタンク１８と、タンク１８内の水石けん液を吸い上げる吸入チューブ２０とを有している。
ここで吸入チューブ２０の下端部には異物除去のためのストレーナ２２が取り付けられている。
【００２２】
取付管１６は、カウンタ部１２に設けられた貫通の取付穴２４に下向きに挿通されている。
取付管１６は、カウンタ部１２の上側において取付穴２４への挿通部よりも大径をなす円形のカップ状部２６を一体に有しており、また挿通部には外周面に雄ねじが設けられていて、その雄ねじに対し、カウンタ部１２の下側で固定ナット２８が螺合されている。
そして固定ナット２８の締付けにより、取付管１６が台座部を兼ねたカップ状部２６をカウンタ部１２に対して下向きに押し付ける状態に、ゴム製の三角パッキン３０を介してカウンタ部１２に固定されている。
【００２３】
タンク１８は、全体として有底の円筒状をなしており、その上部の小径の口部３２において、袋ナット３４及び金属製のリング３６を介して取付管１６に連結されている。
詳しくは、図３に示しているようにタンク１８の口部３２の外周面には環状溝が形成されていて、そこに金属製のリング３６が保持されている。
【００２４】
一方袋ナット３４は、下端部に径方向内向きの環状のフランジ状の係合部３８を有しており、この係合部３８をリング３６に対し上向きに係合させる状態で、袋ナット３４の内周面の雌ねじが取付管１６の外周面の雄ねじに螺合されることで、口部３２の上端をパッキン４０を介して取付管１６の下端に当接させる状態に、タンク１８の口部３２が連結管１６に水密に連結されている。
【００２５】
この実施形態において、カウンタ部１２上の本体部１４は、その全体が取付管１６から、即ちカウンタ部１２から取外し可能とされている。
図２に、その本体部１４の構成が拡大して具体的に示してある。
【００２６】
図中４２は本体部１４におけるボデーで、このボデー４２は下端部に円筒形状をなす嵌合部４４を有し、この嵌合部４４が、取付管１６のカップ状部２６に外嵌状態に嵌合され、押ボタン式のストッパ５２を有する連結機構５４にて、取付管１６に脱着可能に連結されている。
図４にこの連結機構５４の構成が具体的に示してある。
【００２７】
図４において、７０は押ボタン式のストッパ５２の、断面Ｌ字状をなす取付部材で、ビス５８にて取付管１６のカップ状部２６に固定されており、そしてこの取付部材５６にてガイドピン６０が嵌合状態に保持されている。
このガイドピン６０には、ストッパ５２を径方向外方に付勢する付勢部材としてのコイルスプリング６２が外挿されている。
【００２８】
コイルスプリング６２は、その一端（図中右端）を取付部材５６に当接させ、また他端（図中左端）をストッパ５２に当接させ、ストッパ５２を径方向外方に押し出す向きに付勢している。
ストッパ５２は円筒形状をなしていて、その底部にコイルスプリング６２の一端を当接せしめている。
ストッパ５２は、カップ状部２６に形成された円形の嵌合孔６４に図中左右方向に摺動可能に嵌合している。
ストッパ５２は、図中右端に外向きのフランジ状の掛止部６６を有しており、その掛止部６６がカップ状部２６の嵌合孔６４周りの部分に掛止することで、カップ状部２６から抜け防止されている。
【００２９】
押ボタン式のストッパ５２は、コイルスプリング６２の図中左向きの付勢力によって、通常時には掛止部６６がカップ状部２６に掛止する状態に図中左向きに突出した状態にある。
この状態でストッパ５２は、ボデー４２の円筒部６４に形成された嵌合孔７０に対しても嵌合しており、そしてストッパ５２と嵌合孔７０との嵌合に基いて、ボデー４２が取付管１６に対し抜止状態に連結されている。
一方でこのストッパ５２を図中右向きに押し込むと、ストッパ５２によるストッパ作用が解除され、ここにおいてボデー４２が、即ち本体部１４が図中上方に取付管１６から取外し可能となる。
【００３０】
図３にも示しているようにボデー４２には、その中心部に下向きに突出する円筒部６８が一体に形成されており、そこに筒状をなす接続部材７２がねじ結合にて取り付けられている。
この接続部材７２には、下向きに突出する細径の円筒形状の挿込口７４が一体に構成されており、そしてそこに可撓性を有する水石けん液Ｌの吸入チューブ２０の上端部が挿込接続されている。
吸入チューブ２０は、図２に示しているように下端をタンク１８内部の水石けん液Ｌに浸漬させており、タンク１８内の水石けん液Ｌは、この吸入チューブ２０の内部を図中上向きに吸い上げられる。
【００３１】
上記の接続部材７２には、図２にも示しているように水石けん液Ｌの吸上方向の流れのみを許容し、逆方向の流れを阻止するボール弁から成る逆止弁７６が、水石けん液Ｌの液通路上に設けられている。
接続部材７２にはまた、逆止弁７６の上昇端を規定するストッパ７８がねじ結合により取り付けられている。
このストッパ７８は、ボール弁から成る逆止弁７６が一定距離上昇したところで、これを当接させて更なる上昇を阻止するもので、このストッパ７８には、図２に示しているようにこれを上下に貫通する複数の（ここでは３つの）貫通孔８０が、ストッパ７８の中心から径方向に離れた位置に且つ周方向に１２０°ごと隔たった３個所に設けられている。
【００３２】
従って逆止弁７６が上昇してストッパ７８に当接しても貫通孔８０は逆止弁７６にて閉鎖されることはなく、吸入チューブ２０を通じて上向きに吸い上げられた水石けん液Ｌは、この貫通孔８０を通じて上方に流通可能である。
【００３３】
図２に示しているように、ボデー４２には吐出管８２が固定状態に取り付けてある。
この吐出管８２は、ムース状の水石けん液Ｌを先端の吐出口８４から吐出するもので、図２に示すようにその基端部には円筒状の嵌込部８６が設けられており、その嵌込部８６を、ボデー４２の嵌込穴８８に嵌め込む状態にボデー４２に脱着可能に取り付けてある。
ここで嵌込部８６は止ねじ９０にてボデー４２に固定されており、従って止ねじ９０を緩めることで、嵌込部８６をボデー４２の嵌込穴８８から抜出可能である。
その嵌込部８６の外周面には凹部９２が形成されており、止ねじ９０は、先端部をその凹部９２に挿入させるようになっている。
この実施形態において、吐出管８２は、ボデー４２を取付管１６から図中上向きに切り離した後、止ねじ９０を雌ねじ孔９４の下端の開口を通じて緩めることで、ボデー４２から抜出可能である。
【００３４】
この嵌込部８６の内周側には、円筒状のメッシュ部材９６が保持されている。
メッシュ部材９６は、軸方向の両端にメッシュ９８を保持しており、水石けん液Ｌとエアとがここを通過する過程で、そのメッシュ９８により水石けん液Ｌとエアとの混合が促進される。
【００３５】
図２に示しているようにボデー４２は、中心部に断面円形の上下方向の貫通穴を有しており、そしてその下部に、吸入チューブ２０を通じて吸い上げられた水石けん液Ｌを所定量一時的に貯留する液室１００を内部に形成する、水石けん液Ｌ用の液シリンダ１０２が一体に構成され、またその上部に、内部にエア室１０４を形成するエアシリンダ１０６が一体に構成されている。
そしてその液シリンダ１０２に、水石けん液Ｌ用の液ピストン１０８が上下に摺動可能に嵌合され、またエアシリンダ１０６に、逆カップ状をなすエアピストン１１０が上下に摺動可能に嵌合されている。
【００３６】
この液ピストン１０８の下端部の外周面には、液ピストン１０８と液シリンダ１０２との間をシールするシール部材としてのＯリング１１２が、液ピストン１０８と一体移動する状態に保持されており、またその上側において、液ピストン１０８の外周面とボデー４２の内周面との間には、円筒状の隙間が形成されていて、その円筒状の隙間が水石けん液Ｌとエアとを混合する混合室１１４を成している。
【００３７】
そして液ピストン１０８には、上記の液室１００とこの混合室１１４とを連通させ、液室１００内の水石けん液Ｌを混合室１１４に流出させる液流出通路１１８が、液ピストン１０８を貫通して形成されている。
ここで液流出通路１１８は、図中上下方向の軸方向の通路と、その上端から径方向に直角に折れ曲った径方向の通路とからなっている。
この液流出通路１１８上には、液室１００から混合室１１４に向う水石けん液Ｌの流れのみを許容し逆方向の流れを阻止する、ボール弁から成る一方向性の逆止弁１２０が設けられている。
ここで円筒状をなす混合室１１４は、ボデー４２に形成された連通路１２２を介して、上記の吐出管８２の内部に連通せしめられている。
【００３８】
図２において、１２４は液ピストン１０８の駆動軸であって図中上下方向に延びており、下部に断面円形の大径部１２６を有している。
この大径部１２６の外周面にはシール部材としてのＯリング（又はＵパッキン）１２８が保持されており、このＯリング１２８を介して大径部１２６の外周面がボデー４２の内周面に摺動可能に嵌合されている。
【００３９】
この駆動軸１２４の下端部は、液ピストン１０８の上部に下向きに嵌入されており、そしてその嵌入部分が、液ピストン１０８に対して結合ピン１３０にて結合され、液ピストン１０８と駆動軸１２４とが図中上下に一体移動するようになしてある。
【００４０】
この実施形態において、上記円筒状をなす混合室１１４は、この大径部１２６に保持されたＯリング１２８と、液ピストン１０８の下端部に保持されたＯリング１１２との間の位置に形成されている。
尚１３２は、ボデー４２の中心の貫通孔の上端を閉鎖するキャップで、ボデー４２に対して下向きにねじ結合され、取り付けられている。
【００４１】
１３４は、ボデー４２に対して図中上下方向に移動可能に設けられた押ボタン式の操作部で、円形の逆カップ状をなしている。
操作部１３４は、周壁部１３６と上壁部１３８とを有していて、その上壁部１３８に対し、上記の駆動軸１２４の上端部が固定ねじ１４０にて固定されている。
ここで駆動軸１２４の上端部には、周方向に沿って円形の環状溝１４２が形成されていて、そこに固定ねじ１４０の先端部が係入されている。
【００４２】
操作部１３４は、周壁部１３６とボデー４２との間に円形の環状の隙間を形成しており、その隙間が、外部の空気を内部に吸入するための吸気部１４４とされている。
操作部１３４にはまた、上記のエアピストン１１０が図示を省略する固定ねじ１４６にて固定されており、かかるエアピストン１１０が駆動軸１２４、即ち液ピストン１０８とともに操作部１３４と一体に図中上下方向に移動するようになしてある。
【００４３】
上記エアシリンダ１０６と、このエアピストン１１０との内側に形成されるエア室１０４には、付勢手段としてのコイルスプリング１４８が収容されている。
コイルスプリング１４８は、下端をボデー４２に当接させ、また上端をエアピストン１１０に当接させて、その付勢力をエアピストン１１０を介して操作部１３４に上向きに及ぼしている。
従って操作部１３４は、通常時はそのコイルスプリング１４８の上向きの付勢力によって、上向きに押し上げられた状態にある。
【００４４】
エアピストン１１０は、下端部且つ外周側にシール部材としてのゴム製の断面Ｕ字形状をなすＵパッキン１５０を保持しており、このＵパッキン１５０を介して、エアピストン１１０がエアシリンダ１０６に図中上下方向に摺動可能に嵌合されている。
【００４５】
エアシリンダ１０６とエアピストン１１０との内側に形成される上記のエア室１０４は、断面Ｌ字状をなす形態でボデー４２に設けられたエア流出通路１５２を介して、上記の円筒状をなす混合室１１４と連通せしめられている。
エア室１０４内のエアは、エアピストン１１０の押込みによりこのエア流出通路１５２を通じて混合室１１４へと流出せしめられる。
【００４６】
尚、エア流出通路１５２の末端のエア流出口１５４はボデー４２の内周面で開口しており、エア流出通路１５２を通じて押し出されたエアは、このエア流出口１５４から液ピストン１０８の外周面に突き当たった後、その液ピストン１０８の外周面に沿って周方向に向きを変化しながら混合室１１４へと流れ込む。
【００４７】
図２の部分拡大図に示すようにこのエア流出通路１５２上には、エア室１０４から混合室１１４へのエアの流通を許容し、逆方向の流れを阻止する逆止弁１５６が設けられている。
逆止弁１５６はダックビル弁と称するもので、くちばし形状の弁部１５８を有しており、エア室１０４から混合室１１４へとエアが流れるときにはくちばし状の弁部１５８を開いてエアの通過を許容し、また逆方向の流れに対しては、くちばし状の弁部１５８を閉じてその逆方向の流れを阻止する。
この逆止弁１５６は、取付部材１６０にてボデー４２に取り付けられている。
ここで取付部材１６０は円筒状をなしていて、外周面の雄ねじにおいてボデー４２の雌ねじにねじ結合されている。
【００４８】
上記エアピストン１１０には、図２の部分拡大図に示しているようにその上壁部にエア通路の一部をなす貫通孔１６２が形成されており、吸気口１４４から吸入されたエアが、この貫通孔１６２を通じてエア室１０４へと流入するようになしてある。
そしてこのエアピストン１１０の上壁部には、エア室１０４に向うエアの流れのみを許容し、逆方向の流れを阻止する逆止弁１６４が設けられている。
【００４９】
ここで逆止弁１６４はアンブレラ弁と称されるもので軸部 １６５にてエアピストン１１０の上壁部に取り付けられ、エアがエア室１０４に向うときには傘状の弁部１６６を図５の部分拡大図に示すように下向きに開いてエアの流れを許容し、また逆方向の流れに対しては弁部１６６が貫通孔１６２を閉じてエアの流れを阻止する。
【００５０】
尚、図２において１６８は、液シリンダ１０２，液ピストン１０８，エアシリンダ１０６，エアピストン１１０を要素として含み、ポンプ作用でタンク１８内の水石けん液Ｌを吸い上げるとともに、ムース状化して吐出管８２側へと押し出し、また同じくポンプ作用で外部の空気をエア室１０４に吸入し且つ吐出管８２側へと押し出す機構部を表しており、かかる機構部１６８が本体部１４内に組み込まれている。
【００５１】
次に本実施形態の作用を以下に説明する。
ソープディスペンサー１０は、液シリンダ１０２の内側の液室１００に所定量の水石けん液Ｌを一時的に貯留した状態で、操作部１３４を下向きに押し込むと、液ピストン１０８が駆動軸１２４を介して下向きに押し込まれ、これにより液室１００内の水石けん液Ｌが、液ピストン１０８を貫通して形成された液流出通路１１８を通じ、逆止弁１２０を押し開いて混合室１１４へと流出する。
【００５２】
一方エアピストン１１０は、操作部１３４の下向きの押込みにより、液ピストン１０８と一体に下向きに移動し、これによりエア室１０４内のエアが、エア流出通路１５２を通じて逆止弁１５６の弁部１５８を押し開きながら、混合室１１４へと勢い良く流出する。
【００５３】
このときエア流出通路１５２の末端のエア流出口１５４から混合室１１４へと勢い良く流出したエアは、先ず液ピストン１０８の外周面に突き当った後、その外周面に沿って周方向及び軸方向に流れ、そのときの流れの向きの変化によって混合室１１４内で不規則なエアの流れを生ぜしめ、そしてそのことによって、更には混合室１１４が広い混合空間を有していることによって、混合室１１４内で水石けん液Ｌに対してエアが十分に撹拌混合され、そこで水石けん液Ｌが良好にムース状化される。
【００５４】
この実施形態では、混合室１１４が同じ上下方向長を保ちながら、その全体が液ピストン１０８の移動に連れて下向きに移動する。即ち位置固定状態に設けられたエア流出口１５４が、混合室１１４に対して図中下側から上側に向って相対移動し、エアの流出位置を、混合室１１４に対し下端から上端に向って相対的に漸次変化させて行く。
【００５５】
そしてこのようにしてムース状化された水石けん液Ｌが吐出管８２へと押し出され、更にその内部の吐出通路を通じ流通した上で、先端の吐出口８４から手洗器のボウル部等の外部に吐出される。
【００５６】
尚混合室１１４内部の水石けん液Ｌとエアとの混合体が吐出管８２へと流れ込む際、その途中に設けられたメッシュ部材９６のメッシュ９８によって、即ちそこを水石けん液Ｌとエアとの混合体が通過することで気液混合、即ち水石けん液Ｌのムース状化がより一層促進される。
【００５７】
以上のようにして操作部１３４を押込端まで一杯に押し込み、所定量のムース状化した水石けん液Ｌを吐出した後、操作部１３４に加えていた力を除くと、ここにおいて操作部１３４がコイルスプリング１４８の付勢力によって図中上向きに押し上げられ、そしてこれと一体に液ピストン１０８及びエアピストン１１０が上昇せしめられる。
【００５８】
このとき、吸気口１４４から外部の空気が逆止弁１６４を押し開きながらエア室１０４へと流入し、新たな空気がエア室１０４に供給される。
また同時に、液ピストン１０８の上昇により発生した負圧によって、タンク１８内の水石けん液Ｌが吸入チューブ２０を通じ逆止弁７６を押し開きながら、液シリンダ１０２の内側の液室１００に吸い上げられ、そこに一時的に貯留される。
【００５９】
図１，図２に示しているように、この実施形態では液シリンダ１０２，液ピストン１０８，エアシリンダ１０６，エアピストン１１０，駆動軸１２４，吸入チューブ２０，円筒状を成す混合室１１４，操作部１３４がすべて同軸状に配置されており、また駆動軸１２４，液ピストン１０８，接続部材７２，吸入チューブ２０がすべて上下の同一直線上に設けられ、そして更にその直線上において逆止弁１２０，７６が設けられている。
尚この実施形態では、本体部１４を取り外し、取付管１６のカップ状部２６に水石けん液を注ぎ込むことで、タンク１８内に水石けん液を補給することができる。
【００６０】
本実施形態では、カウンタ部１２の上側に位置する本体部１４が吐出管８２とともに取付管１６から、即ちカウンタ部１２から取外し可能であることから、悪戯等により本体部１４が持ち去られないように、カウンタ部１２の上側の本体部１４と、カウンタ部１２の下側のタンク１８とが繋ぎ材によって互いに結合されている。
【００６１】
図５において、１７０はその繋ぎ材としての可撓性の線状をなす金属製のワイヤである。
ワイヤ１７０には、上端部に固定用のリング部１７２が設けられ、このリング部１７２においてワイヤ１７０が締結ビス１７４によって、本体部１４におけるボデー４２の嵌合部４４と中心部の円筒部６８との間の上部の壁部１７６に締結固定されている。
【００６２】
詳しくは、ボデー４２の壁部１７６には凹部１７８に続いて雌ねじ孔１８０が設けられ、この雌ねじ孔１８０にリング部１７２を挿通した締結ビス１７４がねじ込まれることで、ワイヤ１７０の上端部即ちリング部１７２がボデー４２に締結固定されている。
【００６３】
尚このリング部１７２は、ワイヤ１７０の上端側をリング状に回曲させ、その状態でワイヤ１７０をかしめ具１８２でかしめることによって形成されている。
【００６４】
ワイヤ１７０にはまた、下端側に同様にしてリング部１７２が設けられている。
図５において、１８４は太さが一様の金属製の棒材を中央部で円形に１回転曲げ変形させて構成した抜止部材で、中央部の円形の環状部１８６と、この環状部１８６から互いに逆向きに延び出した一対の棒状のアーム１８８とを有している。
ここで一対のアーム１８８は、それぞれ突出し長さが同じ長さとされている。
【００６５】
この抜止部材１８４は、ワイヤ１７０にて中央部の環状部１８６を吊持した状態で、一対の棒状のアーム１８８がワイヤ１７０による吊持部位を支点として、バランスを取るように回転し、一対のアーム１８８が水平向きとなるように自身の姿勢を調節し保持する。
尚、一対のアーム１８８の一端から他端までの長さは、タンク１８における口部３２の内径よりも長くしてある。
【００６６】
この実施形態では、抜止部材１８４を手等にもってその向きを変えることで、詳しくは図６（Ａ）に示すように一対の棒状のアーム１８８がワイヤ１７０の向きに沿った向きとなるようにその向きを変えることで、抜止部材１８４をタンク１８の内部に挿入可能である。そのように抜止部材１８４の寸法が予め定められている。
【００６７】
而して抜止部材１８４をタンク１８の口部３２を通過してタンク１８の内部に挿入すると、ワイヤ１７０によって環状部１８６の部分で吊持された抜止部材１８４は、自身のバランス作用によって図６（Ｂ）に示しているように一対のアーム１８８が水平向きとなるようにその向き，姿勢を変える。
【００６８】
このように抜止部材１８４がタンク１８の内部で水平向きになると、この状態でワイヤ１７０を上向きに引張っても、抜止部材１８４の一対のアーム１８８が、タンク１８の口部３２に対して係止した状態となり（尚一対のアーム１８８がタンク１８の口部３２直下の肩部に係止したものと考えることもできる）、ここにおいてワイヤ１７０を上向きに引張っても、抜止部材１８４はタンク１８から抜けることはなく、ワイヤ１７０の下端部とタンク１８とが連結された状態となる。
【００６９】
即ちカウンタ部１２の上側の本体部１４と、カウンタ部１２の下側のタンク１８とが、ワイヤ１７０で繋がれ結合された状態となる。
従って本体部１４は、ワイヤ１７０の長さに応じた一定距離だけはカウンタ部１２から持上げ可能であるが、それ以上には本体部１４をカウンタ部１２から引き離すことはできなくなる。
【００７０】
尚、抜止部材１８４をタンク１８の内部に挿入することによって、ワイヤ１７０の下端部とタンク１８とを連結する作業は、タンク１８を連結管１６から分離した状態で行っても良いし、或いは図７に示しているようにタンク１８を袋ナット３４で取付管１６に連結した状態の下で、抜止部材１８４を垂直に近い姿勢に傾け、取付管１６の内部を通じてタンク１８内部に挿入するようになすこともできる。
【００７１】
以上のような本実施形態によれば、抜止部材１８４をタンク１８の口部３２を通じてタンク１８内にワイヤ１７０の下端部とともに挿入するだけで、簡単にカウンタ部１２の下側のタンク１８と、カウンタ部１２の上側の本体部１４とをワイヤ１７０にて連繋し、本体部１４をカウンタ部１２側に繋ぎ止めておくことができる。
【００７２】
従って本実施形態によれば、カウンタ部１２の下側に作業者が潜り込んで、その狭い空間でワイヤ１７０の下端部をカウンタ部１２の下側の部材に対してドライバー等の工具を用いて締結ビスを何回も回転操作し、固定作業をするといったことは必要でなく、単に抜止部材１８４をタンク１８の中に挿入するだけで、ワイヤ１７０の下端部とタンク１８とを抜止状態に結合することができる。
それ故本実施形態によれば、ワイヤ１７０によって本体部１４をカウンタ部１２の側に繋ぎ止めるための作業を極めて簡単に行うことができ、ひいてはソープディスペンサー１０の設置作業を作業性良く良好に行うことができる。
【００７３】
また本実施形態では、タンク１８内の水石けん液Lを吸入する吸入チューブ２０の下端部に取り付けた異物除去のためのストレーナ２２を吸入チューブ２０とともに取付管１６の内部を通じてカウンタ部１２上に取り出すことが可能であり、タンク１８内のストレーナ２２の掃除等のメンテナンスの必要が生じたときに、タンク１８とワイヤ１７０の下端部との結合状態を解き、タンク１８を取付管１６から分離するといったことを行わなくても、即ちタンク１８を取り付けた状態のままで、ストレーナ２２を吸入チューブ２０とともにカウンタ部１２上に取り出し、ストレーナ２２の掃除等のメンテナンス作業を行うことができる。
【００７４】
図８は、抜止部材１８４の他の形態例を示したものである。
この例の抜止部材１８４は、円形のリング状をなす上端の基部１９０から周方向の複数個所、ここでは周方向に９０°ごと隔たった４個所から弾性脚１９２を垂下させ、それぞれの下端部に、タンク１８の口部３２を被係止部としてそこに上向きに係止する係止爪１９４を設けたものである。
ここで各係止爪１９４には、抜止部材１８４を口部３２を通過してタンク１８内に挿入する際の挿入性を高めるための傾斜形状のカム面１９６が設けてある。
尚、ワイヤ１７０の下端部は固定具１９８によって抜止部材１８４に固定されている。
【００７５】
この抜止部材１８４の場合、各弾性脚１９２を径方向内向きに弾性変形させることで、口部３２を通過してタンク１８の内部に挿入することができる。
而して一旦抜止部材１８４をタンク１８の内部に挿入した後においては、各係止爪１９４が口部３２に係止して抜止めされ、かかる抜止部材１８４の抜止作用によって、ワイヤ１７０がタンク１８に抜止状態に結合される。
【００７６】
以上本発明の実施形態を詳述したが、これはあくまで一例示である。
例えば本発明では繋ぎ材として玉鎖その他のものを用いることも可能であるし、またタンク１８の形状を変えることで抜止部材をタンク１８内部の、口部３２以外の被係止部に係止させるようになすことも可能である等、本発明はその趣旨を逸脱しない範囲において種々変更を加えた形態で構成可能である。
【図面の簡単な説明】
【００７７】
【図１】本発明の一実施形態のソープディスペンサーの全体構成を示す断面図である。
【図２】同実施形態における本体部の構成を拡大して示した断面図である。
【図３】同実施形態における本体部及びタンクを取付管から取り外した状態を示した図である。
【図４】同実施形態における連結機構の構成を示した図である。
【図５】同実施形態における盗難防止の構造部分を示した図である
【図６】同実施形態の作用説明図である。
【図７】同実施形態の図６とは異なる作用説明図である。
【図８】本発明の他の実施形態の要部を示した図である。
【符号の説明】
【００７８】
１０  ソープディスペンサー
１２  カウンタ部（取付基体）
１４  本体部
１６  取付管
１８  タンク
２０  吸入チューブ
２２  ストレーナ
３２  口部
８２  吐出管
１６８  機構部
１７０  ワイヤ（繋ぎ材）
１８４  抜止部材
１８６  環状部
１８８  アーム
【図１】
2010088820.tif 000003
【図２】
2010088820.tif 000004
【図３】
2010088820.tif 000005
【図４】
2010088820.tif 000006
【図５】
2010088820.tif 000007
【図６】
2010088820.tif 000008
【図７】
2010088820.tif 000009
【図８】
2010088820.tif 000010